(57)【要約】【課題】容易に開封でき、短側面を開口させて高い訴求効果を得ることができる包装展示兼用箱を提供する。【解決手段】周方向に連設された長側面板１及び短側面板２の上端に、天面板４及び重合フラップ５がそれぞれ連設され、一対の天面板４の突合部に跨って重合フラップ５が貼り付けられ、底面を閉じる底面板６，７を備えた箱体において、重合フラップ５の先端に臨む手掛部１０を天面板４に形成し、手掛部１０を起点として重合フラップ５の両側方から短側面板２の方向へ向かう天部切目線１１と、その終端付近から短側面板２を挟んで下方へ向かう側部切目線１２と、側部切目線１２の下端部間に及ぶ下部切目線１３とを設け、手掛部１０からの天部切目線１１、側部切目線１２及び下部切目線１３の切断に伴い、これらに囲まれた短側面板２を含む部分を除去できるものとする。【選択図】図１
0003202167.tif 000002
【実用新案登録請求の範囲】
【請求項１】
周方向に連設された長側面板(1)及び短側面板(2)の上端に、天面板(4)及び重合フラップ(5)がそれぞれ連設され、一対の天面板(4)の突合部に跨って重合フラップ(5)が貼り付けられ、底面を閉じる底面板(6,7)を備えた箱体において、
重合フラップ(5)の先端に臨む手掛部(10)が天面板(4)に形成され、手掛部(10)を起点として重合フラップ(5)の両側方から短側面板(2)の方向へ向かう天部切目線(11)と、その終端付近から短側面板(2)を挟んで下方へ向かう側部切目線(12)と、側部切目線(12)の下端部間に及ぶ下部切目線(13)とが設けられ、
手掛部(10)から天部切目線(11)、側部切目線(12)及び下部切目線(13)を切断すると、これに囲まれた短側面板(2)を含む部分を除去することができる包装展示兼用箱。
【請求項２】
前記長側面板(1)と短側面板(2)の間に傾斜した面取部(3)が介在し、側部切目線(12)が短側面板(2)又は長側面板(1)と面取部(3)の境界に沿って延びることを特徴とする請求項１に記載の包装展示兼用箱。
【請求項３】
前記重合フラップ(5)は、天面板(4)の上面に重なり、底面板(6)には、段積み時に重合フラップ(5)が係合する係合切欠(8)が形成されていることを特徴とする請求項１又は２に記載の包装展示兼用箱。
【請求項４】
前記重合フラップ(5)は、天面板(4)の下面に重なり、重合フラップ(5)の切込により形成された係合片(9)が天面板(4)の上面に貼り付けられ、底面板(6)には、段積み時に係合片(9)が係合する係合切欠(8)が形成されていることを特徴とする請求項１又は２に記載の包装展示兼用箱。
【考案の詳細な説明】
【技術分野】
【０００１】
この考案は、商品の輸送時の包装及び店頭での展示に兼用される箱に関する。
【背景技術】
【０００２】
包装展示兼用箱として、下記特許文献１には、図２０に示すようなものが記載されている。この包装展示兼用箱は、周方向に連設された長側面板５１及び短側面板５２の間に面取部５３が介在し、長側面板５１及び短側面板５２の上端からそれぞれ天面板５４及び重合フラップ５５が延出され、一対の天面板５４の突合部に跨って、その上面に重合フラップ５５が貼り付けられた構成とされている。
【０００３】
この包装展示兼用箱には、一方の天面板５４の先端から長側面板５１との境界の両端へ向かう２本の天部切目線５６と、天部切目線５６の終端から長側面板５１を挟んで面取部５３との境界沿いに下方へ向かう２本の側部切目線５７と、側部切目線５７の下端間から全周を取り巻く引裂帯による下部切目線５８とが設けられている。
【０００４】
上記包装展示兼用箱を商品展示のため開封する際には、側部切目線５７の下端間に亘り下部切目線５８を切断し、側部切目線５７に挟まれた長側面板５１を手前に引いて、側部切目線５７を切断すると共に、一方の天面板５４の天部切目線５６に挟まれた部分を起こして、天部切目線５６を切断し、天部切目線５６及び側部切目線５７に挟まれた下部切目線５８の上方部分を除去する。
【先行技術文献】
【特許文献】
【０００５】
【特許文献１】意匠登録第１１４４５５７号公報
【考案の概要】
【考案が解決しようとする課題】
【０００６】
しかしながら、上記のような包装展示兼用箱では、開封した状態において、商品が並ぶ方向である長側面が開口する形態となるため、一定の売場スペースで複数個の箱を開口面が露出する方向へ並べて積み上げると、多数の商品のフェイス面を見せた状態での展示ができないという問題があった。
【０００７】
また、開封に際し、天面板５４を引き上げる際、天面板５４が撓むので、天部切目線５６に力が効率的に作用せず、開封が難しいという問題もあった。
【０００８】
そこで、この考案は、容易に開封でき、短側面を開口させて高い訴求効果を得ることができる包装展示兼用箱を提供することを課題とする。
【課題を解決するための手段】
【０００９】
上記課題を解決するため、この考案に係る包装展示兼用箱は、周方向に連設された長側面板及び短側面板の上端に、天面板及び重合フラップがそれぞれ連設され、一対の天面板の突合部に跨って重合フラップが貼り付けられ、底面を閉じる底面板を備えた箱体において、重合フラップの先端に臨む手掛部が天面板に形成され、手掛部を起点として重合フラップの両側方から短側面板の方向へ向かう天部切目線と、その終端付近から短側面板を挟んで下方へ向かう側部切目線と、側部切目線の下端部間に及ぶ下部切目線とが設けられ、手掛部から天部切目線、側部切目線及び下部切目線を切断すると、これに囲まれた短側面板を含む部分を除去できるものとしたのである。
【００１０】
この考案を、直方体ではなく、前記長側面板と短側面板の間に傾斜した面取部が介在する包装展示兼用箱に適用する場合には、側部切目線が短側面板又は長側面板と面取部の境界に沿って延びるものとすればよい。
【００１１】
そして、前記重合フラップは、天面板の上面に重なるようにし、段積み時の積みずれを防止するため、底面板には、段積み時に重合フラップが係合する係合切欠が形成されたものとすればよい。
【００１２】
また、これに換えて、前記重合フラップは、天面板の下面に重なるようにし、重合フラップの切込により形成された係合片が天面板の上面に貼り付けられ、底面板には、段積み時に係合片が係合する係合切欠が形成されたものとしてもよい。
【考案の効果】
【００１３】
このような包装展示兼用箱では、商品展示のため開封する際、手掛部に手を入れ、天面板と重合フラップとが重なり合い剛性が高くなった部分を引き上げることにより、天部切目線に効率的に力を伝えて、天部切目線を切断することができる。
【００１４】
また、天部切目線の切断後、側部切目線に挟まれた部分を手前に引いて、側部切目線を切断し、側部切目線の下端間の下部切目線を切断すると、短側面が開口するので、多数の商品のフェイス面を見せて展示でき、高い訴求効果を得ることができる。
【００１５】
さらに、複数の包装展示兼用箱を段積みする際、下段側の箱の天面板の上面に突出した重合フラップ又は係合片と、上段側の箱の底面に形成された係合切欠とを係合させて、積みずれを防止することができ、輸送時の荷崩れを防止できるほか、商品の展示時には、整然と段積みされた見映えのよい状態を維持することができる。
【図面の簡単な説明】
【００１６】
【図１】この考案に係る包装展示兼用箱の第１実施形態の封緘状態を示す斜視図
【図２】同上の開封過程を示す斜視図
【図３】同上の開封状態を示す斜視図
【図４】同上の包装展示兼用箱を横に並べて段積みした展示状態を示す斜視図
【図５】同上の天面開放状態を示す斜視図
【図６】同上のブランクを示す図
【図７】この考案に係る包装展示兼用箱の第２実施形態の（ａ）封緘状態、（ｂ）開封状態をそれぞれ示す斜視図
【図８】この考案に係る包装展示兼用箱の第３実施形態の（ａ）封緘状態、（ｂ）開封状態をそれぞれ示す斜視図
【図９】この考案に係る包装展示兼用箱の第４実施形態の（ａ）封緘状態、（ｂ）開封状態をそれぞれ示す斜視図
【図１０】この考案に係る包装展示兼用箱の第５実施形態の（ａ）封緘状態、（ｂ）開封状態をそれぞれ示す斜視図
【図１１】この考案に係る包装展示兼用箱の第６実施形態の封緘状態を示す斜視図
【図１２】同上の開封状態における（ａ）短側面開口形態、（ｂ）長側面開口形態をそれぞれ示す斜視図
【図１３】この考案に係る包装展示兼用箱の第７実施形態の（ａ）封緘状態、（ｂ）開封状態をそれぞれ示す斜視図
【図１４】この考案に係る包装展示兼用箱の第８実施形態の封緘状態を示す斜視図
【図１５】同上の開封過程を示す斜視図
【図１６】同上の開封状態を示す斜視図
【図１７】同上の包装展示兼用箱を横に並べて段積みした展示状態を示す斜視図
【図１８】同上のブランクを示す図
【図１９】同上の封緘過程を示す斜視図
【図２０】特許文献１に記載の包装展示兼用箱の段積み状態を示す斜視図
【考案を実施するための形態】
【００１７】
この考案の第１実施形態を図１−図６に基づいて説明する。
【００１８】
この包装展示兼用箱は、図１に示すような封緘状態となるものであり、図６に示す段ボールのブランクから形成される。
【００１９】
このブランクでは、各一対の長側面板１及び短側面板２が面取部３を介して交互に連設され、両端の長側面板１と短側面板２の外側にも面取部３が連設されている。長側面板１及び短側面板２には、上端にそれぞれ天面板４及び重合フラップ５が連設され、下端に底面板６，７が連設されている。天面板４及び底面板６の両側基部には、組立時に面取部３の上端及び下端にそれぞれ沿うように斜辺が形成されている。
【００２０】
重合フラップ５は、短側面板２との境界側の基部から先端側にかけて幅が狭くなる台形状とされ、底面板６の両側部分には、組立時に底面板６同士が突き合わされた状態において、重合フラップ５より若干大きな台形状となる係合切欠８が形成されている。
【００２１】
天面板４には、一対の手掛部１０が弧状の切目線１０ａと押込時のヒンジとなる折目線１０ｂとの間に形成されている。また、切目線１０ａの終端から天面板４の側端へかけて天部切目線１１が設けられ、天面板４の先端と天部切目線１１に挟まれた部分は、手掛部１０に折目線１０ｂを介して連なるようになっている。
【００２２】
切目線１０ａは、鉤状の切目が断続する湾曲したジッパ型とされ、折目線１０ｂは、段ボールの裏面側から押圧した押罫と切目から成る直線のリード罫とされている。天部切目線１１は、Ｙ字状の切目が断続するジッパ型とされている。
【００２３】
長側面板１に挟まれた一方の短側面板２とその両側の面取部３との境界には、組立時に天部切目線１１の終端から続くように、側部切目線１２が上端から下方へ向けて設けられている。側部切目線１２は、鉤状の切目が断続するジッパ型とされている。
【００２４】
各一対の長側面板１及び短側面板２並びに面取部３には、側部切目線１２の下端間から組立時の周方向全長に及ぶ引裂帯が下部切目線１３として設けられている。下部切目線１３は、ブランクの裏面に貼り付けたカットテープや、段ボールの裏面のライナのみを切断したライナカットから成るものとされている。
【００２５】
一方の短側面板２の下部には、これらの側部切目線１２の下端に臨んで、下部切目線１３の切始部１３ａと切終部１３ｂとがそれぞれ切目を入れて設けられている。
【００２６】
上記のようなブランクを組み立てて商品を包装する際には、図１に示すように、各一対の長側面板１及び短側面板２並びに面取部３を八角筒状をなすように折り曲げて、両端の面取部３同士を貼り合わせ、底面板７を内側水平方向へ折り曲げ、底面板６を底面板７に折り重ねて貼り合わせ、底面板６の先端同士を突き合わせる。
【００２７】
そして、液体洗剤入りのボトル等の商品を箱内に多数長さ方向に並べて収納し、天面板４を内側水平方向へ折り曲げ、天面板４の先端同士を突き合わせ、一対の天面板４の突合部に跨って、その表面に重合フラップ５を重ねるように折り曲げて貼り合わせる。これにより、手掛部１０の折目線１０ｂが重合フラップ５の先端にほぼ一致し、天部切目線１１が重合フラップ５の両側の斜辺の外側に沿った封緘状態となる。
【００２８】
このように封緘すると、段積みした際、下段側の箱の天面板４の上面に突出する重合フラップ５と、上段側の箱の底面板６に形成された係合切欠８とを係合させて、積みずれを防止することができ、輸送時の荷崩れを防止することができる。また、この包装展示兼用箱は、長側面板１と短側面板２の間に傾斜した面取部３を備えているので、積上荷重による周壁の座屈が生じにくく、重量のある商品の包装に適したものとなる。
【００２９】
一方、この包装展示兼用箱を商品展示のため開封する際には、側部切目線１２に挟まれた短側面板２寄りの一方の手掛部１０を押し込んで切目線１０ａを切断し、図２に示すように、折目線１０ｂを軸に内側へ折り曲げた手掛部１０に手を掛けて、天面板４と重合フラップ５の重なり合った部分を引き上げ、天部切目線１１を切断する。
【００３０】
このとき、天面板４と重合フラップ５とが重なり合い、剛性が高くなった部分を引き上げるので、天面板４の撓みが抑制され、天部切目線１１に効率的に力が伝達されて、天部切目線１１が切断される。
【００３１】
次に、側部切目線１２に挟まれた一方の短側面板２を上方から手前に引いて、側部切目線１２を切断し、さらに、側部切目線１２の下端間の下部切目線１３を切始部１３ａから切終部１３ｂまで切断する。
【００３２】
そして、天面板４の手掛部１０から天部切目線１１に挟まれた部分と、これに重なる重合フラップ５と、短側面板２の側部切目線１２に挟まれた下部切目線１３の上方部分とを一体として除去すると、図３に示すように、短側面から天面の端部が開口する。
【００３３】
これにより、図４に示すように、一定の売場スペースにおいて、複数個の包装展示兼用箱を開口した短側面が正面へ向く方向へ並べて積み上げたとき、多数の商品のフェイス面を見せて展示でき、高い訴求効果を得ることができる。このとき、開口した短側面とは反対側において、下段側の箱の重合フラップ５と上段側の箱の係合切欠８とを係合させ、整然と段積みされた見映えのよい状態を維持することができる。
【００３４】
なお、この包装展示兼用箱は、図５に示すように、天面板４の両側の手掛部１０からそれぞれ天面板４と重合フラップ５の重なり合った部分を引き上げ、天部切目線１１を切断することにより、天面全体を開口させることもできる。
【００３５】
また、図示はしないが、段積み状態での展示に際し、最上段となる包装展示兼用箱については、下部切目線１３を全周に亘って切断することにより、下部切目線１３の上方全体を除去し、トレイ状となった残存部から商品を露出させて展示すると、訴求効果をさらに高めることができる。
【００３６】
次に、この考案の第２実施形態を図７に基づいて説明する。
【００３７】
この包装展示兼用箱は、上記第１実施形態のものと略同様であるが、図７（ａ）に示す封緘状態において、天部切目線１１が重合フラップ５の内側に隠れるようになっている。これにより、流通過程において天面が押された場合、天部切目線１１が不意に破断する現象を防止することとしている。
【００３８】
そして、図７（ｂ）に示すように開封すると、短側面板２の面が開口するので、長さ方向に並べて収納した商品のフェイス面を見せて展示することができる。
【００３９】
次に、この考案の第３実施形態を図８に基づいて説明する。
【００４０】
この包装展示兼用箱は、上記第１実施形態のものと略同様であるが、図８（ａ）に示す封緘状態において、天部切目線１１が長側面板１と面取部３がなす上角へ一方の短側面板２の方向へ湾曲しつつ向かい、側部切目線１２が長側面板１と面取部３の境界に沿って延びるものとされている。
【００４１】
そして、図８（ｂ）に示すように開封すると、短側面板２の面及びその両側の面取部３の面が開口するので、大きな開口面積を得られ、長さ方向に並べて収納した商品のフェイス面を幅方向に広く見せて展示することができ、訴求効果を高めることができる。
【００４２】
次に、この考案の第４実施形態を図９に基づいて説明する。
【００４３】
この包装展示兼用箱は、上記第２実施形態のものと略同様であるが、図９（ａ）に示す封緘状態において、手掛部１０が上記第２実施形態とは逆向きとなり、切目線１０ａは、手掛部１０を天面板４の天部切目線１１に挟まれた部分から切り離すように入れられている。また、重合フラップ５の先端は、手掛部１０の先端に合わせて凹所を形成するように切り込まれている。
【００４４】
そして、開封する際、手掛部１０を押し込み、天面板４と重合フラップ５の重なり合った部分の先端の凹所に指を掛け、この部分を引き上げることにより、図９（ｂ）に示すように開封すると、短側面が開口し、長さ方向に並べて収納した商品のフェイス面を見せて展示することができる。
【００４５】
次に、この考案の第５実施形態を図１０に基づいて説明する。
【００４６】
この包装展示兼用箱は、上記第１実施形態のものと略同様であるが、図１０（ａ）に示す封緘状態において、一方の短側面板２を挟む側部切目線１２が短側面板２の下端まで達しており、その下端間に亘ってミシン目状の下部切目線１３が設けられている。また、トレイ状とするためのカットテープ等の下部切目線１３も並設されている。
【００４７】
そして、図１０（ｂ）に示すように、短側面板２の下端間に亘る下部切目線１３を切断して開封すると、短側面が上端から下端まで開口するので、長さ方向に並べて収納した商品のフェイス面を上下方向に広く見せて展示することができ、訴求効果を高めることができる。また、短側面から商品を容易に取り出すことができる。
【００４８】
次に、この考案の第６実施形態を図１１及び図１２に基づいて説明する。
【００４９】
この包装展示兼用箱は、上記第３実施形態のものと略同様、天部切目線１１が長側面板１と面取部３がなす上角へ一方の短側面板２の方向へ湾曲しつつ向かうものであるが、図１１に示す封緘状態において、側部切目線１２が長側面板１とその両側の面取部３の境界だけでなく、短側面板２とその両側の面取部３の境界にも設けられている。また、長側面板１及び短側面板２の両側の側部切目線１２の下端に臨んで、下部切目線１３の切始部１３ａと切終部１３ｂとがそれぞれ切目を入れて設けられている。
【００５０】
そして、図１２（ａ）に示すように、短側面板２の両側の側部切目線１２を切断して開封すると、短側面を開口させることができ、収納する商品の形状や向きに応じて、図１２（ｂ）に示すように、長側面板１の両側の側部切目線１２を切断して開封すると、長側面を開口させることもできる。
【００５１】
次に、この考案の第７実施形態を図１３に基づいて説明する。
【００５２】
この包装展示兼用箱は、上記第１実施形態のものと略同様であるが、図１３（ａ）に示す封緘状態において、一対の長側面板１と天面板４の境界に沿って、ミシン目状の切目線１４が設けられている。
【００５３】
そして、開封する際、一方の短側面を開口させた後、他方の手掛部１０から天部切目線１１を切断することにより、一対の天面板４を開き、切目線１４を切断して、天面板４を除去すると、図１３（ｂ）に示すように、一方の短側面から天面全体が大きく開口した状態で、長さ方向に並べて収納した商品のフェイス面を見せると共に、多数の商品の配列態様を見せつつ展示できる。
【００５４】
次に、この考案の第８実施形態を図１４−図１８に基づいて説明する。
【００５５】
この包装展示兼用箱は、図１４に示すような封緘状態となるものであり、図１８に示す段ボールのブランクから形成される。
【００５６】
このブランクでは、各一対の長側面板１及び短側面板２が面取部３を介して交互に連設され、両端の長側面板１と短側面板２の外側にも面取部３が連設されている。長側面板１及び短側面板２には、上端にそれぞれ天面板４及び重合フラップ５が連設され、下端に底面板６，７が連設されている。天面板４、重合フラップ５及び底面板６の両側基部には、組立時に面取部３の上端及び下端にそれぞれ沿うように斜辺が形成されている。
【００５７】
重合フラップ５は、短側面板２との境界の中間部から先端側の途中まで切り込まれ、その切込の内側の範囲内に、基部から先端側にかけて幅が狭くなる台形状の係合片９が形成されている。
【００５８】
底面板６の両側部分には、組立時に底面板６同士が突き合わされた状態において、重合フラップ５より若干大きな台形状となる係合切欠８が形成されている。
【００５９】
天面板４には、手掛部１０が弧状の切目線１０ａと押込時のヒンジとなる折目線１０ｂとの間に形成されている。
【００６０】
また、切目線１０ａの終端から一方の短側面板２の方向へ僅かに曲がって天面板４との境界へ延びる幅切部１１ａと、この境界に沿って一方の短側面板２の方向へ延びる側切部１１ｂから成る天部切目線１１が設けられ、幅切部１１ａと側切部１１ｂとで区画された天面板４の一側部は、重合フラップ５の略半分に相当する大きさとされている。
【００６１】
切目線１０ａは、切目が断続する湾曲したミシン目とされ、折目線１０ｂは、段ボールの裏面側から押圧した押罫と切目から成る直線のリード罫とされている。天部切目線１１の幅切部１１ａは、鉤形のＹ字状の切目が断続するジッパ型とされ、側切部１１ｂは、鉤状の切目が断続するジッパ型とされている。
【００６２】
長側面板１に挟まれた一方の短側面板２とその両側の面取部３との境界には、側部切目線１２が上端から下方へ向けて設けられている。側部切目線１２は、鉤状の切目が断続するジッパ型とされている。
【００６３】
各一対の長側面板１及び短側面板２並びに面取部３には、側部切目線１２の下端間から組立時の周方向全長に及ぶ引裂帯が下部切目線１３として設けられている。下部切目線１３は、ブランクの裏面に貼り付けたカットテープや、段ボールの裏面のライナのみを切断したライナカットから成るものとされている。
【００６４】
一方の短側面板２の下部には、２本の側部切目線１２の下端に臨んで、下部切目線１３の切始部１３ａと切終部１３ｂとがそれぞれ切目を入れて設けられている。
【００６５】
上記のようなブランクを組み立てて商品を包装する際には、図１９に示すように、各一対の長側面板１及び短側面板２並びに面取部３を八角筒状をなすように折り曲げて、両端の面取部３同士を貼り合わせ、底面板７を内側水平方向へ折り曲げ、底面板６を底面板７に折り重ねて貼り合わせ、底面板６の先端同士を突き合わせる。
【００６６】
そして、商品を箱内に多数長さ方向に並べて収納し、係合片９を起立させたまま、重合フラップ５を内側水平方向へ折り曲げる。
【００６７】
その後、図１４に示すように、天面板４を重合フラップ５に折り重ねて貼り合わせ、天面板４の先端同士を突き合わせ、一対の天面板４に跨って、その表面に係合片９を重ねるように折り曲げて貼り合わせる。これにより、手掛部１０の折目線１０ｂが重合フラップ５の先端にほぼ一致した封緘状態となる。
【００６８】
このように封緘すると、段積みした際、下段側の箱の天面板４の上面に突出する係合片９と、上段側の箱の底面板６に形成された係合切欠８とを係合させて、積みずれを防止することができ、輸送時の荷崩れを防止することができる。
【００６９】
また、この包装展示兼用箱は、長側面板１と短側面板２の間に傾斜した面取部３を備えているので、積上荷重による周壁の座屈が生じにくく、さらに、天面板４を重合フラップ５で下方から支持しているので、天面も陥没しにくいものとなり、重量のある商品の包装に特に適したものとなる。
【００７０】
一方、この包装展示兼用箱を商品展示のため開封する際には、手掛部１０を押し込んで切目線１０ａを切断し、図１５に示すように、折目線１０ｂを軸に内側へ折り曲げた手掛部１０に手を掛けて、天面板４と重合フラップ５の重なり合った部分を引き上げ、天部切目線１１を幅切部１１ａから側切部１１ｂへかけて切断する。
【００７１】
このとき、天面板４と重合フラップ５とが重なり合い、剛性が高くなった部分を引き上げるので、天面板４の撓みが抑制され、天部切目線１１に効率的に力が伝達されて、天部切目線１１が切断される。
【００７２】
次に、側部切目線１２に挟まれた一方の短側面板２を上方から手前に引いて、側部切目線１２を切断し、さらに、側部切目線１２の下端間の下部切目線１３を切始部１３ａから切終部１３ｂまで切断する。
【００７３】
そして、天面板４の手掛部１０から天部切目線１１に挟まれた部分と、これに重なる重合フラップ５及び係合片９と、短側面板２の側部切目線１２に挟まれた下部切目線１３の上方部分とを一体として除去すると、図１６に示すように、短側面が開口し、天面も幅切部１１ａと側切部１１ｂとで区画された部分が開口する。
【００７４】
これにより、図１７に示すように、一定の売場スペースにおいて、複数個の包装展示兼用箱を開口した短側面が正面へ向く方向へ並べて積み上げたとき、多数の商品のフェイス面を見せて展示でき、また、上段側の包装展示兼用箱の天面の開口からも箱内に配列された商品が見えるので、高い訴求効果を得ることができる。このとき、開口した短側面とは反対側において、下段側の箱の係合片９と上段側の箱の係合切欠８とを係合させ、整然と段積みされた見映えのよい状態を維持することができる。
【００７５】
なお、この第８実施形態の変形例として、上記第４実施形態のように、手掛部１０を逆向きに切り込んで設けてもよく、上記第５実施形態のように、側部切目線１２を短側面板２の下端まで達するように設け、短側面板２の面が下端まで開口するようにしてもよい。
【００７６】
また、上記第６実施形態のように、側部切目線１２を、短側面板２だけでなく、長側面板１とその両側の面取部３の境界にも設け、短側面と長側面のいずれかを開口させる面として選択できるようにしてもよい。そのほか、上記第７実施形態のように、一対の長側面板１と天面板４の境界に沿って切目線１４を設け、天面全体を開口させて、天面板４を切り取れるようにしてもよい。
【００７７】
また、上記各実施形態では、四つのコーナー部全てに面取部３が存在するものを例示したが、面取部３のない直方体状の包装展示兼用箱や、２つのコーナー部にのみ面取部３が存在する包装展示兼用箱についても、同様の開封構造を適用することができる。
【符号の説明】
【００７８】
１  長側面板
２  短側面板
３  面取部
４  天面板
５  重合フラップ
６，７  底面板
８  係合切欠
９  係合片
１０  手掛部
１０ａ  切目線
１０ｂ  折目線
１１  天部切目線
１１ａ  幅切部
１１ｂ  側切部
１２  側部切目線
１３  下部切目線
１３ａ  切始部
１３ｂ  切終部
１４  切目線
【図１】
0003202167.tif 000003
【図２】
0003202167.tif 000004
【図３】
0003202167.tif 000005
【図４】
0003202167.tif 000006
【図５】
0003202167.tif 000007
【図６】
0003202167.tif 000008
【図７】
0003202167.tif 000009
【図８】
0003202167.tif 000010
【図９】
0003202167.tif 000011
【図１０】
0003202167.tif 000012
【図１１】
0003202167.tif 000013
【図１２】
0003202167.tif 000014
【図１３】
0003202167.tif 000015
【図１４】
0003202167.tif 000016
【図１５】
0003202167.tif 000017
【図１６】
0003202167.tif 000018
【図１７】
0003202167.tif 000019
【図１８】
0003202167.tif 000020
【図１９】
0003202167.tif 000021
【図２０】
0003202167.tif 000022